(57)【特許請求の範囲】
【請求項１】
外箱を構成する洗浄機本体と、洗浄機本体の内面に前後方向に固定された本体側レールと、洗浄槽と、洗浄槽の外面に前後方向に固定された洗浄槽側レールと、洗浄槽内の水を循環させる洗浄ポンプとを備え、本体側レールと洗浄槽側レールに案内されて洗浄機本体に対して洗浄槽が前後方向にスライドする引出し式食器洗浄機において、
洗浄ポンプが洗浄槽側レールに取付けられていることを特徴とする引出し式食器洗浄機。
【請求項２】
洗浄ポンプの上部が洗浄槽に補助的に取付けられていることを特徴とする請求項１に記載の引出し式食器洗浄機。
【発明の詳細な説明】
【０００１】
【発明の属する技術分野】
本発明は、外箱を構成する洗浄機本体に対して、食器等を収容して洗浄する洗浄槽が、前後方向にスライドする引出し式食器洗浄機に関する。
【０００２】
【従来の技術】
従来の引出し式食器洗浄機を、縦断面図を示す図１を参照して説明する。従来の引出し式食器洗浄機は、外箱を構成する洗浄機本体２と、洗浄槽１１と、洗浄ポンプ１７を備えている。洗浄機本体２の側壁内面には前後方向に伸びる本体側レール１８が固定されている。洗浄槽１１の側壁外面には前後方向に伸びる洗浄槽側レール６が固定されている。本体側レール１８と洗浄槽側レール６に案内されることによって、洗浄槽１１は洗浄機本体２に対して前後方向にスライド可能となっており、実線に示す収容位置と一点鎖線で示す引出し位置との間でスライドする。
洗浄ポンプ１７は、モータ１３とポンプユニット１２から構成されており、洗浄槽１１内の水を排水口８から吸込み、加圧し、洗浄ノズル３から噴射する。食器４は、洗浄槽１１内に設置されている食器カゴ５に収容されており、洗浄ノズル３から噴射される水によって洗浄される。
【０００３】
従来の引出し式食器洗浄機の場合、特開平１３−０６１７４８号公報に示されているように、洗浄ポンプ１７は洗浄槽１１の背面外方位置において洗浄槽１１から吊り下げられている。
【０００４】
【発明が解決しようとする課題】
洗浄ポンプ１７は重く、洗浄槽１１に取付ける構造では、洗浄槽１１と洗浄ポンプ１７の接合部分に大きな負荷がかかる。洗浄槽１１はスライドさせるものであり、軽量化が要請され、薄板で形成する必要がある。このために、洗浄ポンプ１７を洗浄槽１１に取付ける構造では、洗浄槽１１に変形やひびが生じやすく、充分な耐久性を確保することが困難となる。
【０００５】
本発明は、洗浄槽に過大な負荷がかからないようにして洗浄ポンプを取付ける構造を実現し、もって洗浄槽、ひいては、引出し式食器洗浄機の耐久性を向上させることを目的とする。
【０００６】
【課題を解決するための手段と作用と効果】
本発明の引出し式食器洗浄機は、外箱を構成する洗浄機本体と、洗浄機本体の内面に前後方向に固定された本体側レールと、洗浄槽と、洗浄槽の外面に前後方向に固定された洗浄槽側レールと、洗浄槽内の水を循環させる洗浄ポンプとを備えている。本体側レールと洗浄槽側レールに案内されて洗浄槽は洗浄機本体に対して前後方向にスライドする。
本発明の引出し式食器洗浄機は、上記形式の食器洗浄機において、洗浄ポンプが洗浄槽側レールに取付けられていることを特徴とする。
【０００７】
洗浄ポンプが洗浄槽側レールに取付けられていると、洗浄ポンプ重量はもっぱら洗浄槽側レールにかかり、洗浄ポンプ重量が洗浄槽に過大な負荷をかけることがない。このために、洗浄槽、ひいては、引出し式食器洗浄機の耐久性を向上させることができる。
【０００８】
本発明の引出し式食器洗浄機の場合、洗浄ポンプが洗浄槽側レールに取付けられていればよく、洗浄ポンプ上部を洗浄槽に補助的に取付けることを妨げない。補助的に洗浄ポンプの上部を洗浄槽に取付けると、洗浄ポンプの姿勢が安定し、それでいてポンプ重量の大部分を洗浄槽側レールで受けることができる。
【０００９】
【発明の実施の形態】
本発明を具現化した第１実施例を以下に示す。図２は、第１実施例に係る引出し式食器洗浄機の縦断面図であり、図３は、洗浄機本体の背面板を取り外して引出し式食器洗浄機を後方から見た図である。
【００１０】
図２に示す引出し式食器洗浄機３０は、外箱を構成する洗浄機本体３２と、洗浄槽３４と、洗浄ポンプ３８を備えている。洗浄機本体３２の側壁内面には前後方向に伸びるブラケット４３を介して前後方向に伸びる本体側レール４２が固定されている（図３参照）。洗浄槽３４の側壁外面には前後方向に伸びる洗浄槽側レール４０が固定されている。本体側レール４２の前端部には本体側ローラ４１が回転自在に固定されており、洗浄槽側レール４０の後端には洗浄槽側ローラ４５が回転自在に固定されている。本体側ローラ４１と洗浄槽側ローラ４５によって、洗浄槽側レール４０は本体側レール４２に沿って、前後方向にスライドする。洗浄槽３４は洗浄槽側レール４０とともに、洗浄機本体３２と本体側レール４２に対して、前後方向にスライドする。洗浄槽３４の前面には扉３６が設けられ、扉３６を前方に引くことにより、洗浄機本体３２から洗浄槽３４が引出され、食器類が出し入れされる。
【００１１】
洗浄槽３４の外側後方に洗浄ポンプ３８が配設されている。洗浄ポンプ３８には、洗浄槽３４の排水口と接続する吸引ホースと、図示しない洗浄ノズルと接続する吐出ホースが接続されている。洗浄ポンプ３８は、吸引ホースを介して洗浄槽３４内の水を吸込み、加圧し、洗浄ノズルから噴射する。
【００１２】
洗浄槽３４の外側後方では、図３に示すように、洗浄槽３４の両側面に固定された２本の洗浄槽側レール４０を橋渡しするように、ポンプ取付け板４４が固定されている。具体的には、ポンプ取付け板４４の両端が両側のレール４０の上部に載せられ、ねじによって固定されている。ポンプ取付け板４４には穴４６が空けられており、洗浄ポンプ３８は穴４６に嵌められた状態で支持されている。ポンプ重量は、ポンプ取付け板４４、洗浄槽側レール４０、本体側レール４２、洗浄機本体３２によって受とめられ、洗浄槽３４にかからない。
【００１３】
本実施例の引出し式食器洗浄機では、洗浄ポンプ３８がポンプ取付け板４４を介して洗浄槽側レール４０に取付けられるために、洗浄ポンプ重量は、もっぱら洗浄槽側レール４０にかかって洗浄槽３４にはかからない。このために、洗浄槽３４には過大な負荷がかからず、洗浄槽３４、ひいては、引出し式食器洗浄機３０の耐久性が向上する。
【００１４】
次に、本発明を具現化した第２実施例を示す。図４は、第２実施例に係る引出し式食器洗浄機の縦断面図であり、図５は、洗浄機本体の背面板を取り外して引出し式食器洗浄機を後方から見た図である。なお、本実施例に示す引出し式食器洗浄機は、洗浄ポンプの取付け構造のみが第１実施例に示した引出し式食器洗浄機と相違しており、同一部分の重複説明は省略する。
【００１５】
図４に示す引出し式食器洗浄機３０では、洗浄槽３４の外側後方位置において洗浄槽３４の両側面に取付けられた２本の洗浄槽側レール４０を橋渡しするようにポンプ取付け板４４が固定されている。具体的には、ポンプ取付け板４４の両端が両側の洗浄槽側レール４０の上部に載せられ、ねじによって固定されている。ポンプ取付け板４４には穴４６が空けられており、洗浄ポンプ３８はこの穴に嵌められた状態で支持されている。
また、洗浄ポンプ３８の上部には振止め板３８ａが設けられており、振止め板３８ａの左右両端には穴があり、これらの穴を利用して振止め板３８ａが洗浄槽３４に形成されたボス３４ａにねじ止めされている。
実際には、洗浄ポンプ３８は先にポンプ取付け板４４に固定され、洗浄ポンプ３８の重量がポンプ取付け板４４で受止められた状態で振止め板３８ａが洗浄槽３４に固定されるために、振止め板３８ａ又は洗浄槽３４に作用する洗浄ポンプ重量は非常に小さい。
【００１６】
本実施例では、洗浄ポンプ３８の上部が洗浄槽３４に補助的に取付けられている。洗浄ポンプ３８の重量の大分部は洗浄槽側レール４０にかかり、洗浄槽３４にはほとんどかからない。洗浄ポンプ３８の上部が洗浄槽３４に補助的に取付けられていると、洗浄ポンプ３８の姿勢が安定する。
【００１７】
以上の実施例に係る引出し式食器洗浄機では、洗浄ポンプをポンプ取付け板に取付けて配設したが、洗浄ポンプだけでなく、排水ポンプをもポンプ取付け板に取付けてもよい。
【００１８】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【図１】従来の引出し式食器洗浄機の縦断面図。
【図２】第１実施例の引出し式食器洗浄機の縦断面図。
【図３】図２の引出し式食器洗浄機を後方から見た図。
【図４】第２実施例の引出し式食器洗浄機の縦断面図。
【図５】図４の引出し式食器洗浄機を後方から見た図。
【符号の説明】
３０：引出し式食器洗浄機
３２：洗浄機本体
３４：洗浄槽
３６：扉
３８：洗浄ポンプ
３８ａ：振止め板
４０：洗浄槽側レール
４１：本体側ローラ
４２：本体側レール
４３：ブラケット
４４：ポンプ取付け板
４６：穴
【図１】
0003604010.tif 000002
【図２】
0003604010.tif 000003
【図３】
0003604010.tif 000004
【図４】
0003604010.tif 000005
【図５】
0003604010.tif 000006